(57)【特許請求の範囲】
【請求項１】
外気導入部からの冷却風によりエンジン冷却水を冷却するラジエータと、ラジエータ冷却前の冷却風を取り入れる吸気管を有するエアクリーナとを備え、
前記吸気管は、前記ラジエータにおける外気導入部側の壁面に対向する吸気口を備え、
前記吸気口を前記壁面から設定間隔をあけた位置に位置決めした状態で前記吸気管を支持する支持部材を備え、
前記ラジエータは、外気が通過するラジエータコア部と通気性を有しないアッパータンクを備え、
前記吸気口は、前記壁面のうち、前記アッパータンクの前記壁面に対向している作業車。
【請求項２】
外気導入部からの冷却風によりエンジン冷却水を冷却するラジエータと、ラジエータ冷却前の冷却風を取り入れる吸気管を有するエアクリーナとを備え、
前記吸気管は、前記ラジエータにおける外気導入部側の壁面に対向する吸気口を備え、
前記吸気口を前記壁面から設定間隔をあけた位置に位置決めした状態で前記吸気管を支持する支持部材を備え、
前記ラジエータは、その上部に防振ゴム装着用の支軸を備え、
前記支軸を前記支持部材に流用している作業車。
【請求項３】
前記吸気口における開口は、上下方向幅よりも左右方向幅が広く形成されている請求項１記載の作業車。
【請求項４】
前記ラジエータは、その上部に防振ゴム装着用の支軸を備え、
前記支軸を前記支持部材に流用している請求項１又は３記載の作業車。
【請求項５】
前記吸気管の吸気口側端部に、前記支持部材との係合によって前記吸気口を前記壁面から設定間隔をあけた位置に位置決めする係合部を備えている請求項１〜４のいずれか一項記載の作業車。
【請求項６】
前記吸気管は、その吸気口側端部を形成する付属部品を着脱可能に備えている請求項１〜５のいずれか一項記載の作業車。
【請求項７】
前記エアクリーナを、前記ラジエータを挟んだ外気導入部側とは反対側のエンジン側に配備し、
前記吸気管は、その吸気口側端部を前記ラジエータよりも外気導入部側に位置させる長さを有して前記エアクリーナから延出し、
前記吸気管の吸気口側端部を、前記吸気口が前記壁面に対向する形状に曲げ形成している請求項１〜６のいずれか一項記載の作業車。
【発明の詳細な説明】
【技術分野】
【０００１】
本発明は、外気導入部からの冷却風によりエンジン冷却水を冷却するラジエータと、ラジエータ冷却前の冷却風を取り入れる吸気管を有するエアクリーナとを備えた作業車に関する。
【背景技術】
【０００２】
上記のような作業車においては、エアクリーナの吸気管を、その吸気口がラジエータにおける外気導入部側の壁面よりも外気導入部側（前側）に位置するように、エアクリーナから外気導入部側に延出したものがある（例えば特許文献１参照）。
【先行技術文献】
【特許文献】
【０００３】
【特許文献１】特開平１１−７８９８７号公報（段落番号００２４、図２〜４）
【発明の概要】
【発明が解決しようとする課題】
【０００４】
作業車としては、例えば、作業車の前端部にサイドディスチャージ式のモーアを装備して、車体前方の草を刈り取って車体の横外方に放出する草刈り作業を行うことがある。そして、このような草刈り作業時には、作業地の風向きなどに起因して、車体の横外方に放出した細かい刈草などが、車体の外気導入部に舞い戻って外気とともに外気導入部から車内に入り込むことがある。
【０００５】
又、寒冷地においては、例えば、作業車の前端部に除雪装置を装備して、車体前方の積雪を掻き取って車体の横外方などに放出する除雪作業を行うことがある。そして、このような除雪作業時には、作業地の風向きなどに起因して、車体の横外方などに放出した細かい雪が、車体の外気導入部に舞い戻って外気とともに外気導入部から車内に入り込むことがある。
【０００６】
これらのように細かい刈草や雪などが外気とともに車内に入り込むと、上記の従来構成では、車内に入り込んだ細かい刈草や雪などがラジエータに向けて流れる外気（冷却風）とともにラジエータに向けて流動する。そして、その流れに乗って、それらの一部が吸気管の吸気口に達すると、その流れのままに吸気口から吸気管内に流入して、エアクリーナの内部に備えたエレメントに達するようになる。その結果、外気とともに流入した細かい刈草や雪などがエアクリーナのエレメントに付着してエレメントを目詰まりさせる不都合が生じ易くなる。そして、この目詰まりにより、エアクリーナからエンジンへのエアの供給が不足して、エンジンにおいてエア不足に起因した不完全燃焼が生じ易くなる。
【０００７】
本発明の目的は、細かい刈草や雪などが吸気管の吸気口からエアクリーナの内部に流入することに起因したエンジンでの不完全燃焼の発生を効果的に抑制することにある。
【課題を解決するための手段】
【０００８】
本発明の課題解決手段は、
外気導入部からの冷却風によりエンジン冷却水を冷却するラジエータと、ラジエータ冷却前の冷却風を取り入れる吸気管を有するエアクリーナとを備え、
前記吸気管は、前記ラジエータにおける外気導入部側の壁面に対向する吸気口を備え、
前記吸気口を前記壁面から設定間隔をあけた位置に位置決めした状態で前記吸気管を支持する支持部材を備え、
前記ラジエータは、外気が通過するラジエータコア部と通気性を有しないアッパータンクを備え、
前記吸気口は、前記壁面のうち、前記アッパータンクの前記壁面に対向している。
【０００９】
この手段によると、吸気管の吸気口は、ラジエータにおける外気導入部側の壁面に対向していることにより、外気導入部からラジエータに向けて流れる冷却風の風下に向けて開口することになる。
【００１０】
これにより、車内に入り込んだ細かい刈草や雪などは、冷却風とともにラジエータに向けて流動し、その流れに乗って吸気管の吸気口の周辺に達しても、その多くが冷却風の流れのままにラジエータに向けて流動して、吸気口から吸気管内への流入が抑制されるようになる。
【００１１】
その結果、車内に入り込んだ細かい刈草や雪などが、吸気口から吸気管内に流入し、エアクリーナのエレメントに付着してエレメントが目詰まりする不都合の発生を効果的に抑制することができる。そして、その目詰まりに起因したエンジンでのエア不足による不完全燃焼の発生を効果的に抑制することができる。
【００１２】
ところで、車内に入り込んだ細かい刈草や雪などの吸気口から吸気管内への流入は、吸気管の吸気口をラジエータにおける外気導入部側の壁面に近づけて、その壁面と吸気口との間隔を狭くするほど、効果的に抑制することができる。
【００１３】
しかしながら、その壁面と吸気口との間隔を狭くし過ぎると、吸気管やエアクリーナあるいはラジエータなどの組み付けのバラツキなどに起因して、吸気管の吸気口がラジエータの壁面に吸い付く不都合を招く虞がある。
【００１４】
これに対し、この手段においては、前記支持部材を備えたことにより、吸気管の吸気口とラジエータの壁面との間隔を狭くしても、吸気管やエアクリーナあるいはラジエータなどの組み付けのバラツキなどに起因して、吸気管の吸気口がラジエータの壁面に吸い付く不都合が生じる虞を回避することができる。そして、この吸い付きに起因したエンジンでのエア不足による不完全燃焼の発生を阻止することができる。
【００１５】
従って、車内に入り込んだ細かい刈草や雪などによってエアクリーナのエレメントが目詰まりすることに起因したエンジンでの不完全燃焼の発生を効果的に抑制することができる上に、吸気管の吸気口がラジエータの壁面に吸い付くことに起因したエンジンでの不完全燃焼の発生を阻止することができる。
また、この手段によると、ラジエータにおけるアッパータンクの壁面は、ラジエータコアなどのように通気性を有するものではないことから、通気性を有するラジエータコアなどを吸気管の吸気口に対向させるラジエータの壁面とした場合に招く虞のある、冷却風とともにラジエータに流れ込んだ細かい刈草や雪などがラジエータ側から吸気管の吸気口に流入する、といった不都合の発生を回避することができる。
従って、車内に入り込んだ細かい刈草や雪などによってエアクリーナのエレメントが目詰まりすることに起因したエンジンでの不完全燃焼の発生をより効果的に抑制することができる。
【００１６】
本発明の他の課題解決手段は、
外気導入部からの冷却風によりエンジン冷却水を冷却するラジエータと、ラジエータ冷却前の冷却風を取り入れる吸気管を有するエアクリーナとを備え、
前記吸気管は、前記ラジエータにおける外気導入部側の壁面に対向する吸気口を備え、
前記吸気口を前記壁面から設定間隔をあけた位置に位置決めした状態で前記吸気管を支持する支持部材を備え、
前記ラジエータは、その上部に防振ゴム装着用の支軸を備え、
前記支軸を前記支持部材に流用している。
【００１７】
この手段によると、別構成の支持部材を備えることなく、吸気管の吸気口をラジエータにおける外気導入部側の壁面から設定間隔をあけた位置に位置決めすることができる。
【００１８】
従って、部品点数の削減による構成の簡素化を図りながら、吸気管の吸気口がラジエータの壁面に吸い付くことに起因したエンジンでの不完全燃焼の発生を阻止することができる。
本発明をより好適なものにするための手段の一つとして、
前記吸気口における開口は、上下方向幅よりも左右方向幅が広く形成されている。
本発明をより好適なものにするための手段の一つとして、
前記ラジエータは、その上部に防振ゴム装着用の支軸を備え、
前記支軸を前記支持部材に流用している。
【００１９】
本発明をより好適なものにするための手段の一つとして、
前記吸気管の吸気口側端部に、前記支持部材との係合によって前記吸気口を前記壁面から設定間隔をあけた位置に位置決めする係合部を備えている。
【００２０】
この手段によると、吸気管の係合部を支持部材に係合することにより、吸気管の吸気口をラジエータにおける外気導入部側の壁面から設定間隔をあけた位置に位置決めすることができる。
【００２１】
従って、ラジエータにおける外気導入部側の壁面から設定間隔をあけた位置での吸気口の位置決めを容易に行うことができる。
【００２２】
本発明をより好適なものにするための手段の一つとして、
前記吸気管は、その吸気口側端部を形成する付属部品を着脱可能に備えている。
【００２３】
この手段によると、吸気管に対して付属部品を着脱することにより、吸気管を、その吸気口をラジエータにおける外気導入部側の壁面に対向させる仕様と対向させない仕様とに簡単に仕様変更することができる。
【００２４】
これにより、吸気口がラジエータにおける外気導入部側の壁面に対向するように吸気口側端部を形成した専用の吸気管と、吸気口がラジエータにおける外気導入部側の壁面に対向しないように吸気口側端部を形成した専用の吸気管とを用意する場合に比較して、吸気管の仕様変更を簡単に行うことができる。又、その仕様変更を可能にするための部品管理を容易にすることができる。
【００２５】
【００２６】
【００２７】
【００２８】
本発明をより好適なものにするための手段の一つとして、
前記エアクリーナを、前記ラジエータを挟んだ外気導入部側とは反対側のエンジン側に配備し、
前記吸気管は、その吸気口側端部を前記ラジエータよりも外気導入部側に位置させる長さを有して前記エアクリーナから延出し、
前記吸気管の吸気口側端部を、前記吸気口が前記壁面に対向する形状に曲げ形成している。
【００２９】
この手段によると、エアクリーナを外気導入部側に配備する場合に比較して、外気導入部からラジエータへの冷却風などの流れをスムーズにすることができる。
【００３０】
これにより、エアクリーナを外気導入部側に配備した場合に招く虞のある、冷却風とともに外気導入部からラジエータに向けて流れる細かい刈草や雪などが、エアクリーナに当たってそれらの流れに乱れが生じることに起因して、吸気管の吸気口とラジエータにおける外気導入部側の壁面との間から吸気管の吸気口に流入し易くなる、といった不都合の発生を回避することができる。
【００３１】
従って、車内に入り込んだ細かい刈草や雪などによってエアクリーナのエレメントが目詰まりすることに起因したエンジンでの不完全燃焼の発生をより効果的に抑制することができる。
【図面の簡単な説明】
【００３２】
【図１】トラクタの右側面図である。
【図２】トラクタの平面図である。
【図３】トラクタの正面図である。
【図４】原動部の構成を示す縦断右側面図である。
【図５】原動部の構成を示す横断平面図である。
【図６】原動部の構成を示す斜視図である。
【図７】エアクリーナの吸気構造を示す原動部の縦断正面図である。
【図８】エアクリーナの吸気構造を示す要部の分解斜視図である。
【図９】エアクリーナの吸気管における吸気口側端部の支持構造を示す要部の縦断右側面図である。
【図１０】エアクリーナの吸気管における吸気口側端部の支持構造を示す要部の分解斜視図である。
【発明を実施するための形態】
【００３３】
以下、本発明を実施するための形態の一例として、本発明を作業車の一例であるトラクタに適用した実施形態を図面に基づいて説明する。
【００３４】
図１〜３に示すように、本実施形態で例示するトラクタは、車体フレーム１の前半部に原動部２を備え、車体フレーム１の後半部に搭乗運転部３を備えている。そして、原動部２の左右に駆動可能な操舵輪としての前輪４を配備し、搭乗運転部３の左右に制動可能な駆動輪としての後輪５を配備して、４輪駆動型に構成している。
【００３５】
図１〜６に示すように、車体フレーム１は、その前部側を形成する前フレーム６、前フレーム６の後部に連結した水冷式のディーゼルエンジン（以下、エンジンと称する）７、エンジン７の後下部に連結したクラッチハウジング８、クラッチハウジング８の後部に連結した中間フレーム９、及び、中間フレーム９の後端部に連結したトランスミッションケース（以下、Ｔ／Ｍケースと称する）１０、などから構成している。そして、前フレーム６とＴ／Ｍケース１０とにわたる左右一対の補強部材１１を備えている。又、クラッチハウジング８の後端箇所に、前後方向視の形状が下向きＵ字状の支持フレーム１２を立設している。
【００３６】
図示は省略するが、前フレーム６は、車体前方の積雪を掻き取って車体の横外方などに放出する除雪装置、又は、車体前方の草を刈り取って車体の横外方などに放出するサイドディスチャージ式のフロントモーア、などのフロントマウント式の作業装置を装着可能に構成している。
【００３７】
図１〜７に示すように、原動部２は、エンジン７などの配置空間を形成するボンネット１３を備えている。又、支持フレーム１２から車体前側に設定間隔をあけた位置に、その配置空間を車体前側のエンジンルームと車体後側のタンクルームとに区画する遮熱壁１４を立設している。そして、車体前側のエンジンルームに、エンジン７、エンジン７に供給する空気を濾過するエアクリーナ１５、酸化触媒及びＤＰＦ（ディーゼルパティキュレートフィルタ）などを内蔵した排気浄化装置１６、冷却ファン１７、ラジエータ１８、オイルクーラ１９、バッテリ２０、及び、ラジエータ用のリザーブタンク２１、などを配備している。又、車体後側のタンクルームに燃料タンク２２を配備している。
【００３８】
ボンネット１３は、開閉揺動可能な第１カバー部１３Ａと、着脱可能な左右の第２カバー部１３Ｂとを備えている。第１カバー部１３Ａは、支持フレーム１２の上部に左右向きに備えた左右の支軸２３を支点にして、エンジン７及びラジエータ１８などを上方から覆う閉じ状態と、エンジン７及びラジエータ１８などを開放する開き状態とに、上下方向に開閉揺動可能に構成している。そして、その前端に外気導入部Ａとしてのフロントグリル１３Ｃを備えている。又、フロントグリル１３Ｃと隣接する前側の左右両側部に外気導入部Ａとしての吸気部１３Ｄを備えている。そして、その後側の上部と左右両側部とに排気部１３Ｅを備えている。左右の第２カバー部１３Ｂは排気部１３Ｆを備えている。
【００３９】
エンジン７は、エンジンルームにおけるフロントグリル１３Ｃから離れた車体後側の領域に、その出力軸（図示せず）が前後向きになる姿勢で配備している。遮熱壁１４は、燃料タンク２２の前面に沿って屈曲形成した板金材により構成している。
【００４０】
エアクリーナ１５及び排気浄化装置１６は、エンジンルームにおけるエンジン７の上方の空間に前後に並べて配備している。つまり、エアクリーナ１５及び排気浄化装置１６を、エンジンルームにおけるエンジン７よりも冷却方向上手側（車体前側）に立設するラジエータ１８を挟んだ外気導入部側（車体前側）とは反対側のエンジン側（車体後側）に配備している。
【００４１】
エアクリーナ１５は、ラジエータ１８と排気浄化装置１６との間に配備している。そして、エアクリーナ１５の吸気部１５Ａからボンネット１３のフロントグリル１３Ｃに向けて延出する外気取り入れ用の吸気管２４と、エアクリーナ１５の給気部１５Ｂからエンジン７の吸気部７Ａにわたる中継用の吸気管２５とを備えている。
【００４２】
外気取り入れ用の吸気管２４は、ボンネット１３とラジエータ１８との間に形成した空間を通っている。そして、その延出端の吸気口２４ａをラジエータ１８よりも外気導入部側に位置させる長さを有してエアクリーナ１５の吸気部１５Ａから延出している。これにより、ラジエータ供給前の冷却風を取り入れるように構成している。
【００４３】
排気浄化装置１６は、その長手方向が左右向きになる左右向き姿勢で、前フレーム６の後部に立設した支持フレーム２６の上部に載置固定している。そして、これにより、遮熱壁１４とエアクリーナ１５との間に配備している。又、エンジン７の排気部（図示せず）から排気浄化装置１６の排気導入部１６Ａにわたる中継用の排気管（図示せず）と、排気浄化装置１６の排気部１６Ｂから前フレーム６の右外方箇所に向けて延出する排気用の排気管２８とを備えている。
【００４４】
排気浄化装置用の支持フレーム２６は、左右方向にエンジン７を跨ぐ下向きＵ字状に形成している。
【００４５】
図４及び図５に示すように、冷却ファン１７は、エンジンルームにおけるエンジン７よりも冷却方向上手側となる車体前側の位置に配備している。そして、エンジン７からの動力で正面視右回りに回転することにより、ボンネット１３のフロントグリル１３Ｃなどからエンジン７に向けて安定して流れる冷却風を発生させる。又、冷却後の冷却風を、ボンネット１３の各排気部１３Ｅ，１３Ｆなどから機外に流出させる。
【００４６】
図１〜８に示すように、ラジエータ１８は、エンジンルームにおける冷却ファン１７よりも冷却方向上手側となる車体前側の位置に配備している。そして、フロントグリル１３Ｃからの冷却風によりエンジン冷却水を冷却している。又、その冷却効率の向上を図るために、ラジエータ１８から冷却ファン１７にわたるファンシュラウド２９を備えている。
【００４７】
ファンシュラウド２９は、ラジエータ側からボンネット１３に向けて延出する延出部２９Ａを備えている。そして、延出部２９Ａにおける上部の右側箇所に、前述した外気取り入れ用の吸気管２４が通る空間をボンネット１３との間に形成する切欠部２９Ｂを備えている。
【００４８】
図４〜６に示すように、オイルクーラ１９は、エンジンルームにおけるラジエータ１８よりも冷却方向上手側となる車体前側の位置に、ラジエータ１８のアッパータンク１８Ａとロアタンク１８Ｂとの間のラジエータコア１８Ｃに対向させた状態で配備している。
【００４９】
バッテリ２０及びリザーブタンク２１は、エンジンルームにおけるオイルクーラ１９よりも冷却方向上手側となる車体前側の位置に左右に並べて配備している。
【００５０】
図４〜８に示すように、ラジエータ１８は、その下部の左右両端部に防振ゴム装着用の支軸１８Ｄを垂下姿勢で備えている。又、その上部の左右両端部に防振ゴム装着用の支軸１８Ｅを起立姿勢で備えている。そして、下部の各支軸１８Ｄに外嵌した防振ゴム３０を介して、前フレーム６に備えた左右のラジエータ載置部６Ａに載置している。
【００５１】
図４〜１０に示すように、外気取り入れ用の吸気管２４は、エアクリーナ１５の吸気部１５Ａに接続する長尺の主管部を形成する樹脂製の主部品３１と、吸気管２４の吸気口側端部２４Ａを形成する樹脂製の付属部品３２とを備えている。主部品３１は、付属部品３２に対する接続側端部３１Ａの形状を横長の楕円状に形成している。付属部品３２は、その吸気側端部３２Ａとは反対側の主部品３１に対する接続側端部３２Ｂの形状を、主部品３１の接続側端部３１Ａに着脱可能に外嵌する横長の楕円状に形成している。又、その側面視の形状を、吸気管２４の吸気口２４ａとなる吸気側端部３２Ａの開口３２ａと接続側端部３２Ｂの開口３２ｂとが同じ方向を向く横向きＪ字状に曲げ形成している。これにより、接続側端部３２Ｂを主部品３１に接続した状態では、吸気側端部３２Ａの開口３２ａが、ラジエータ１８における外気導入部側の壁面１８ａのうち、アッパータンク１８Ａにおける外気導入部側の壁面である前面１８Ａａに対向するように構成している。そして、その吸気側端部３２Ａの開口３２ａの形状を、アッパータンク１８Ａの前面と同じ上下長さを有する状態で接続側端部３２Ｂの開口３２ｂよりも横幅を広くした横長の楕円状に形成している。
【００５２】
ちなみに、ラジエータ１８における外気導入部側の壁面１８ａは、アッパータンク１８Ａにおける外気導入部側の壁面となる前面１８Ａａ、ロアタンク１８Ｂにおける外気導入部側の壁面となる前面、及び、ラジエータコア１８Ｃにおける外気導入部側の壁面となる前面（吸気面）により形成している。
【００５３】
ラジエータ１８の右上部に備えた防振ゴム装着用の支軸１８Ｅは、外気取り入れ用の吸気管２４を支持する支持部材Ｂに流用している。一方、付属部品３２は、その接続側端部３２Ｂの左側下部に、ラジエータ１８の支持部材Ｂとの係合を可能にする係合部Ｃとしての係合孔３２ｃを備えている。そして、ラジエータ１８の支持部材Ｂに付属部品３２の係合部Ｃを係合して支持部材Ｂにて外気取り入れ用の吸気管２４を支持した状態では、吸気管２４の吸気口２４ａをラジエータ１８におけるアッパータンク１８Ａの前面１８Ａａから設定間隔をあけた位置に位置決めした状態となるように構成している。
【００５４】
尚、前述した設定間隔は、トラクタの前部に除雪装置を装備した除雪作業時、又は、トラクタの前部にフロントモーアなどを装備した草刈り作業時などにおいて、除雪装置又はフロントモーアなどが放出した細かい雪や刈草などが、外気とともにボンネット１３のフロントグリル１３Ｃなどからエンジンルームに入り込んだ場合に、その入り込んだ細かい雪や刈草などが、エアとともに外気取り入れ用の吸気管２４の吸気口２４ａから吸気管内に流入することを抑制するために設定した狭い間隔である。
【００５５】
上記の構成により、付属部品固定用の専用部品を要することなく、外気取り入れ用の吸気管２４における吸気口側端部２４Ａを形成する付属部品３２を、ラジエータ１８に対する適正位置に簡単に固定配備することができる。
【００５６】
そして、その適正位置では、外気取り入れ用の吸気管２４は、その吸気口２４ａがラジエータ１８におけるアッパータンク１８Ａの前面１８Ａａに対向することにより、その吸気口２４ａの向きが、エンジンルームを通る冷却風の流動方向と同じ向きになる。つまり、吸気管２４の吸気口２４ａが外気導入部Ａからラジエータ１８に向けて流れる冷却風の風下に向けて開口することになる。
【００５７】
これにより、車内に入り込んだ細かい刈草や雪などは、冷却風とともにラジエータ１８に向けて流動し、その流れに乗って外気取り入れ用の吸気管２４における吸気口２４ａの周辺に達しても、その多くが冷却風の流れのままにラジエータ１８に向けて流動して、吸気口２４ａから吸気管内への流入が抑制されるようになる。つまり、吸気口２４ａの向きを、例えば、エンジンルームを通る冷却風の流動方向と反対向きに設定する場合に比較して、除雪作業時又は草刈り作業時などにおいて外気とともにエンジンルームに入り込んだ細かい雪や刈草などが吸気管２４の吸気口２４ａから吸気管内に流入することを効果的に抑制することができる。
【００５８】
又、その適正位置では、外気取り入れ用の吸気管２４の吸気口２４ａが、ラジエータ１８におけるアッパータンク１８Ａの前面１８Ａａから前述した設定間隔をあけた位置に位置することから、除雪作業時又は草刈り作業時などにおいて外気とともにエンジンルームに入り込んだ細かい雪や刈草などが吸気管２４の吸気口２４ａから吸気管内に流入することをより効果的に抑制することができる。
【００５９】
その結果、エンジンルームに入り込んだ細かい雪や刈草などが、吸気口２４ａから吸気管内に流入し、エアクリーナ１５のエレメント（図示せず）に付着堆積してエレメントが目詰まりする不都合の発生を効果的に抑制することができる。そして、その目詰まりに起因したエンジン７でのエア不足による不完全燃焼の発生を効果的に抑制することができる。
【００６０】
しかも、ラジエータ１８の支持部材Ｂと付属部品３２の係合部Ｃとの係合による位置決めにより、ラジエータ１８の壁面１８ａと吸気管２４の吸気口２４ａとの間隔を狭く設定しても、各吸気管２４，２５やエアクリーナ１５あるいはラジエータ１８などの組み付けのバラツキなどに起因して、外気取り入れ用の吸気管２４の吸気口２４ａがラジエータ１８の壁面１８ａに吸い付く不都合が生じる虞を回避することができる。そして、この吸い付きに起因したエンジン７でのエア不足による不完全燃焼の発生を阻止することができる。
【００６１】
その上、外気取り入れ用の吸気管２４の吸気口２４ａ（付属部品３２における吸気側端部３２Ａの開口３２ａ）を前述した横長の楕円状に形成することにより、その吸気口２４ａをアッパータンク１８Ａの前面１８Ａａに適正に対向させながらも、エンジンルームに取り込んだ外気の吸気口２４ａから吸気管内への流入を許容する領域を広くすることができ、エアクリーナ１５を介してエンジン７に供給するエアの供給量を容易に確保することができる。
【００６２】
そして、外気取り入れ用の吸気管２４における吸気口側端部２４Ａを、その主管部を形成する主部品３１に対して着脱可能な付属部品３２にて構成することにより、例えば、この外気取り入れ用の吸気管２４を備えたエアクリーナ１５を、除雪作業や草刈り作業などを行わない仕様のトラクタに採用する場合には、それに伴って不要になる吸気口側端部２４Ａを吸気管２４から取り除いた状態でトラクタに組み付けることができる。
【００６３】
つまり、外気取り入れ用の吸気管２４に対して付属部品３２を着脱することにより、外気取り入れ用の吸気管２４を、その吸気口２４ａをラジエータ１８における外気導入部側の壁面１８ａに対向させる仕様と対向させない仕様とに簡単に仕様変更することができる。
【００６４】
これにより、吸気口２４ａがラジエータ１８における外気導入部側の壁面１８ａに対向するように吸気口側端部２４Ａを形成した専用の吸気管２４と、吸気口２４ａがラジエータ１８における外気導入部側の壁面１８ａに対向しないように吸気口側端部２４Ａを形成した専用の吸気管２４とを用意する場合に比較して、吸気管２４の仕様変更を簡単に行うことができる。又、その仕様変更を可能にするための部品管理を容易にすることができる。
【００６５】
図４〜９に示すように、ボンネット１３の第１カバー部１３Ａは、その内面におけるファンシュラウド２９との対向箇所に、閉じ状態の第１カバー部１３Ａとファンシュラウド２９の上部との隙間を塞ぐ弾性体３３を張り付けている。
【００６６】
これにより、ラジエータ１８を通過してエンジン７などを冷却することによって昇温した冷却風が、第１カバー部１３Ａとファンシュラウド２９の上部との隙間を通って、ラジエータ通過前の冷却風に混入する虞を回避することができ、その混入に起因した冷却効率の低下を防止することができる。
【００６７】
又、第１カバー部１３Ａの閉じ状態では、その内面に備えた弾性体３３が付属部品３２に上方から面接触することにより、例えば、ラジエータ１８における支持部材Ｂの上方への延出長さが短い場合であっても、ラジエータ１８の支持部材Ｂと付属部品３２の係合部Ｃとの係合状態を確実に維持することができる。
【００６８】
〔別実施形態〕
【００６９】
〔１〕吸気管２４の吸気口２４ａを、ラジエータ１８における外気導入部側の壁面１８ａの一部を形成するラジエータコア１８Ｃにおける外気導入部側の壁面となる前面（吸気面）に対向させるようにしてもよい。又、ラジエータ１８における外気導入部側の壁面１８ａの一部を形成するロアタンク１８Ｂにおける外気導入部側の壁面となる前面に対向させるようにしてもよい。更に、ラジエータ１８の外気導入部側に防塵網を備え、この防塵網によってラジエータ１８における外気導入部側の壁面１８ａの一部を形成する構成においては、この防塵網に吸気管２４の吸気口２４ａを対向させるようにしてもよい。
【００７０】
〔２〕ラジエータ１８の左上部に備えた防振ゴム装着用の支軸１８Ｅを、外気取り入れ用の吸気管２４を支持する支持部材Ｂに流用してもよい。
【００７１】
〔３〕吸気口２４ａを壁面１８ａから設定間隔をあけた位置に位置決めした状態で吸気管２４を支持する支持部材Ｂの構成としては種々の変更が可能である。
例えば、ラジエータ１８のアッパータンク１８Ａにネジ孔を形成し、このネジ孔とこのネジ孔に螺合するボルトとが支持部材Ｂとして機能するように構成してもよい。
又、ラジエータ１８又はファンシュラウド２９に、ファンシュラウド２９の切欠部２９Ｂとボンネット１３との間に形成する空間における外気取り入れ用の吸気管２４との隙間を塞ぐように、外気取り入れ用の吸気管２４に外嵌する弾性体を備え、この弾性体が支持部材Ｂとして機能するように構成してもよい。
更に、ラジエータ１８又はファンシュラウド２９とボンネット１３とに、ファンシュラウド２９の切欠部２９Ｂとボンネット１３との間に形成する空間における外気取り入れ用の吸気管２４との隙間を塞ぐように、外気取り入れ用の吸気管２４に上下方向から接触する弾性体を備え、これらの弾性体が支持部材Ｂとして機能するように構成してもよい。
尚、弾性体としては、その原料としてゴム又はポリウレタンなどを採用して、比較的高い保形性を有する海綿状に形成したものなどを採用することができる。
【００７２】
〔４〕支持部材Ｂとの係合によって吸気口２４ａを壁面１８ａから設定間隔をあけた位置に位置決めする係合部Ｃの構成としては種々の変更が可能である。
例えば、吸気管２４の吸気口側端部２４Ａを、その横外側部位に、防振ゴム装着用の支軸１８Ｅに外嵌する嵌合部を有するように構成して、この嵌合部が係合部Ｃとして機能するように構成してもよい。
又、上記〔３〕に例示したように、支持部材Ｂを外気取り入れ用の吸気管２４に外嵌又は接触する弾性体で構成する場合には、吸気管２４の吸気口側端部２４Ａに、弾性体に係合する係合溝を形成して、この係合溝が係合部Ｃとして機能するように構成してもよい。
【００７３】
〔５〕外気取り入れ用の吸気管２４は、エアクリーナ１５の吸気部１５Ａに接続する主管部と、吸気口２４ａがラジエータ１８における外気導入部側の壁面１８ａに対向する形状に形成した吸気口側端部２４Ａとを一体形成したものであってもよい。
【００７４】
〔６〕エアクリーナ１５を、エンジンルームにおけるラジエータ１８を挟んだエンジン側とは反対側の外気導入部側に配備した状態で、外気取り入れ用の吸気管２４を、その吸気口２４ａがラジエータ１８における外気導入部側の壁面１８ａに対向するように形成してもよい。
【産業上の利用可能性】
【００７５】
本発明は、作業時に発生する細かい雪や刈草又は粉塵、あるいは、雨水、などがエンジンルームに入り込む不都合を招き易い、例えば、トラクタ、除雪車、草刈機、コンバイン、田植機、などの作業車に適用することができる。
【符号の説明】
【００７６】
１５      エアクリーナ
１８      ラジエータ
１８ａ    壁面に
１８Ａ    アッパータンク
１８Ａａ  壁面
１８Ｅ    支軸
２４      吸気管
２４ａ    吸気口
３２      付属部品
Ａ        外気導入部
Ｂ        支持部材
Ｃ        係合部
【図１】
0006289299.tif 000002
【図２】
0006289299.tif 000003
【図３】
0006289299.tif 000004
【図４】
0006289299.tif 000005
【図５】
0006289299.tif 000006
【図６】
0006289299.tif 000007
【図７】
0006289299.tif 000008
【図８】
0006289299.tif 000009
【図９】
0006289299.tif 000010
【図１０】
0006289299.tif 000011